(57)【要約】【課題】トラッキング性能ひいては光ディスクの記録再生性能が向上する光ピックアップを提供する。【解決手段】レンズホルダ８の側面に、トラッキングコイルの巻線部１０ｂの内周部の一辺と略同じ長さの幅をもつ突出片８ｆと、突出片８ｆと対向し突出片８ｆの幅の長さと略同じ長さの幅をもち突出方向に切欠き部Ｄ１が形成される突出片８ｈと、が突設され、巻線部１０ｂの内周部の一辺が突出片８ｆ側に位置し、巻線部１０ｂの外周部の一辺が突出片８ｈ側に位置するよう巻線部１０ｂがレンズホルダ８に固定され、引出し線１０ｄが切欠き部Ｄ１を通され端面８ｃに固定されたフレキシブルプリント基板に接続される。【選択図】図１
2007172776.tif 000002
【特許請求の範囲】
【請求項１】
対物レンズと、該対物レンズを保持するレンズホルダと、内周部および外周部が略四角形状である巻線部と該巻線部から引き出される引出し線とを有するトラッキングコイルと、を備え、
前記レンズホルダの側面には、前記巻線部の内周部の一辺と略同じ長さの幅をもつ第一の突出片と、該第一の突出片と対向し該第一の突出片の幅の長さ以上の長さの幅をもち突出方向に切欠き部が形成される第二の突出片と、が突設され、
前記巻線部の内周部の一辺が前記第一の突出片側に位置し、前記巻線部の外周部の一辺が前記第二の突出片側に位置するよう前記巻線部が前記レンズホルダに固定され、
前記引出し線が前記切欠き部を通される、
ことを特徴とする光ピックアップ。
【発明の詳細な説明】
【技術分野】
【０００１】
本発明は、光ディスク装置に備えられる光ピックアップに関する。
【背景技術】
【０００２】
ＣＤ、ＤＶＤ等の光ディスクを記録再生する光ディスク装置には、光ディスクにレーザを照射し信号を読み取ったり記録したりする光ピックアップが備えられる。以下、従来の光ピックアップについて図面を参照しつつ説明する。図３は、従来の光ピックアップの分解斜視図を示す。図４は、従来の光ピックアップの上面図を示す。また、図５は、従来の光ピックアップの側面断面図を示す（ただし、ピックアップベースとカバーは図示しない）。
【０００３】
光ピックアップ１は、ピックアップベース２、アクチュエータベース３、マグネット４、シャフト５、磁性片６、フォーカスコイル７、レンズホルダ８、フレキシブルプリント基板９、トラッキングコイル１０、対物レンズ１１、カバー１２を備える。
【０００４】
アクチュエータベース３はピックアップベース２にネジ止めされる。ピックアップベース２には、不図示のレーザダイオード、レンズ系、受光素子等が取り付けられる。シャフト５はアクチュエータベース３の底面に設けられた孔３ｃ（図５）に圧入される。
【０００５】
また、レンズホルダ８の中央部には下方向にボス部８ｂ（図５）が突設され、レンズホルダ８の上面からボス部８ｂを貫通するように軸孔８ａが設けられる。また、レンズホルダ８の端部には対物レンズ１１が接着される。また、ボス部８ｂに嵌合するようフォーカスコイル７および磁性片６がレンズホルダ８に接着され、レンズホルダ８の両側面にはトラッキングコイル１０の巻線部が接着される。トラッキングコイルの取り付けについては詳細を後述する。そして、軸孔８ａにシャフト５が嵌合される。
【０００６】
また、アクチュエータベース３の両側面には底面から起立する起立板３ａが設けられ、この起立板３ａに当接するようマグネット４が接着される。
【０００７】
また、フレキシブルプリント基板９の一端に設けられた貼付部９ａが、レンズホルダ８の後方の端面８ｃに接着される。そして、フレキシブルプリント基板９に設けられた貼付部９ｃが、ベース部３の起立板３ａに略直交する側面に底面から起立されて設けられた起立板３ｂの外側面に接着される。そして、貼付部９ａが有する端子がフォーカスコイル７の引出し線およびトラッキングコイル１０の引出し線と半田付けにより接続される。また、フレキシブルプリント基板９の端部９ｄが有する端子が、ピックアップベース２に取り付けられるメインフレキシブルプリント基板（不図示）と半田付けにより接続される。また、接続部９ｂは貼付部９ａと貼付部９ｃとを接続する部分である。そして、レンズホルダ８を覆うようにカバー１２がアクチュエータベース３の上部に取り付けられる。
【０００８】
このような構成により、フレキシブルプリント基板９の端部９ｄが有する端子から電流が供給され、フォーカスコイル７に電流が流れると、フォーカスコイル７が励磁され、レンズホルダ８がシャフト５に沿って図５中ａｂ方向に変位し、対物レンズ１１の焦点を光ディスクの記録面に合わせるフォーカスサーボが行われる。また、同様にトラッキングコイル１０に電流が流れると、トラッキングコイル１０が励磁され、レンズホルダ８がシャフト５周りに図４中ｃｄ方向に回動し、対物レンズ１１により光ディスク上に形成されるビームスポットをトラックに追従させるトラッキングサーボが行われる。
【０００９】
ここで、図６に、トラッキングコイル１０の外観図を示す。トラッキングコイル１０は、一本の導体線を２箇所で巻くことにより製造され、巻線部１０ａ、１０ｂが接続線１０ｅで接続され、巻線部１０ａから引出し線１０ｃが、巻線部１０ｂから引出し線１０ｄが引き出される構成となる。巻線部１０ａ、１０ｂの内周部および外周部は略四角形状である。
【００１０】
上記のような構成のトラッキングコイル１０をレンズホルダ８に取り付けた状態を図７に示す。図７（ａ）は、レンズホルダ８の左側面を、図７（ｂ）は、レンズホルダ８の右側面を見た図である。
【００１１】
図７（ａ）のように、レンズホルダ８においてボス部８ｂより前方の左側面の後端に沿って突出片８ｄが突設される。この突出片８ｄの幅の長さは、トラッキングコイル１０の巻線部１０ａの内周部の一辺と略同じ長さである。また、レンズホルダ８においてボス部８ｂより前方の左側面の前端に、突出片８ｄと幅が略同じ長さで、突出片８ｄと対向するような突出片８ｅが突設される。
【００１２】
そして、巻線部１０ａの内周部の一辺が突出片８ｄ側に位置し、巻線部１０ａの外周部の一辺が突出片８ｅ側に位置するよう巻線部１０ａは配置され、レンズホルダ８においてボス部８ｂより前方の左側面に当接されてレンズホルダ８に接着固定される。また、巻線部１０ａから引き出される引出し線１０ｃはレンズホルダ８の左側面に沿って張られ、その端部は、レンズホルダ８の端面８ｃに接着されたフレキシブルプリント基板９の貼付部９ａが有する端子に半田付けされる。
【００１３】
また、図７（ｂ）のように、レンズホルダ８においてボス部８ｂより後方の右側面の前端に沿って突出片８ｆが突設される。この突出片８ｆの幅の長さは、トラッキングコイル１０の巻線部１０ｂの内周部の一辺と略同じ長さである。また、レンズホルダ８においてボス部８ｂより後方の右側面の後端に沿って、幅が突出片８ｆの略半分の長さで、突出片８ｆと対向するような突出片８ｇが突設される。
【００１４】
そして、巻線部１０ｂの内周部の一辺が突出片８ｆ側に位置し、巻線部１０ｂの外周部の一辺が突出片８ｇ側に位置するよう巻線部１０ｂは配置され、レンズホルダ８においてボス部８ｂより後方の右側面に当接されてレンズホルダ８に接着固定される。また、巻線部１０ｂから引き出される引出し線１０ｄは、突出片８ｇの側面とレンズホルダ８の右側面とで形成される段差部分を通され、その端部は、レンズホルダ８の端面８ｃに接着されたフレキシブルプリント基板９の貼付部９ａが有する端子に半田付けされる。
【００１５】
引出し線１０ｄは、突出片８ｇの側面とレンズホルダ８の右側面とで形成される段差部分を通されて、フレキシブルプリント基板９の貼付部９ａが有する端子に半田付けされるから、レンズホルダ８がシャフト５周りに回動して引出し線１０ｄがマグネット４に接触することが防がれ、引出し線１０ｄが断線する危険性が少ない。
【００１６】
しかしながら、前述したような突出片８ｆと突出片８ｇの構造では、図７（ｂ）に示すように、巻線部１０ｂをレンズホルダ８に固定する際に基準から大きく回転して固定されてしまう可能性があり、取り付け精度の点で問題がある。トラッキングコイルの巻線部のレンズホルダへの取り付け精度が悪いと、トラッキング性能が悪化し、光ディスクの再生記録に悪影響を及ぼす。
【００１７】
なお、本発明に関連するものとしては特許文献１に、様々な方法によりレンズホルダの剛性を高め、トラッキング性能を向上させるものが開示されている。
【特許文献１】特開２００１−２１６６６５号公報
【発明の開示】
【発明が解決しようとする課題】
【００１８】
本発明は上記問題点を鑑み、トラッキング性能ひいては光ディスクの記録再生性能が向上する光ピックアップを提供することを目的とする。
【課題を解決するための手段】
【００１９】
上記目的を達成するために本発明の光ピックアップは、対物レンズと、該対物レンズを保持するレンズホルダと、内周部および外周部が略四角形状である巻線部と該巻線部から引き出される引出し線とを有するトラッキングコイルと、を備え、
前記レンズホルダの側面には、前記巻線部の内周部の一辺と略同じ長さの幅をもつ第一の突出片と、該第一の突出片と対向し該第一の突出片の幅の長さ以上の長さの幅をもち突出方向に切欠き部が形成される第二の突出片と、が突設され、
前記巻線部の内周部の一辺が前記第一の突出片側に位置し、前記巻線部の外周部の一辺が前記第二の突出片側に位置するよう前記巻線部が前記レンズホルダに固定され、
前記引出し線が前記切欠き部を通される、
ことを特徴とする。
【００２０】
このような構成によれば、トラッキングコイルの巻線部のレンズホルダへの取り付け精度が向上し、トラッキング性能ひいては光ディスクの記録再生性能が向上する。また、トラッキングコイルの引出し線の断線を防げる。
【発明の効果】
【００２１】
本発明の光ピックアップによれば、トラッキング性能ひいては光ディスクの記録再生性能が向上する。
【発明を実施するための最良の形態】
【００２２】
以下、本発明の実施形態について図面を参照しつつ説明する。本発明に係る光ピックアップは、レンズホルダの右側面へのトラッキングコイルの取り付けについて特徴があるものであり、以下で説明する構成以外の構成については前述した従来のものと同様である。
【００２３】
図１（ａ）は、本発明に係る光ピックアップが有するレンズホルダ８にトラッキングコイル１０を取り付けた状態を右側面から見た図であり、これは前述した従来の図７（ｂ）に対応するものである。
【００２４】
レンズホルダ８においてボス部８ｂより後方の右側面の前端に沿って突出片８ｆが突設される。この突出片８ｆの幅の長さは、トラッキングコイル１０の巻線部１０ｂの内周部の一辺と略同じ長さである。また、レンズホルダ８においてボス部８ｂより後方の右側面の後端に沿って、幅が突出片８ｆと略同じ長さで、突出片８ｆと対向するような突出片８ｈが突設される。ここで図１（ｂ）は、レンズホルダ８を後側から（図１（ａ）中Ａ方向に）見た突出片８ｈの周辺図であり、突出片８ｈの幅方向略半分には、突出方向に切欠き部Ｄ１が設けられる。
【００２５】
そして、巻線部１０ｂの内周部の一辺が突出片８ｆ側に位置し、巻線部１０ｂの外周部の一辺が突出片８ｈ側に位置するよう巻線部１０ｂは配置され、レンズホルダ８においてボス部８ｂより後方の右側面に当接されてレンズホルダ８に接着固定される。また、巻線部１０ｂから引き出される引出し線１０ｄは、突出片８ｈに設けられた切欠き部Ｄ１を通され、その端部は、レンズホルダ８の端面８ｃに接着されたフレキシブルプリント基板９の貼付部９ａが有する端子に半田付けされる。
【００２６】
上記のような突出片８ｆと突出片８ｈの構成により、巻線部１０ｂを突出片８ｆと突出片８ｈとの間に挟み込むようにレンズホルダ８に取り付ける際に、巻線部１０ｂが基準から回転する量が小さくなり、巻線部１０ｂの取り付け精度が向上する。これにより、トラッキング性能が向上し、光ディスクの再生記録性能が向上する。また、引出し線１０ｄは、突出片８ｈに設けられた切欠き部Ｄ１を通されるので、レンズホルダ８がシャフト５周りに回動して引出し線１０ｄがマグネット４に接触することが防がれ、断線する危険性は少ない。
【００２７】
また、本発明の他の実施形態としては以下のようなものでもよい。図２（ａ）は、本発明に係る光ピックアップが有するレンズホルダ８にトラッキングコイル１０を取り付けた状態を右側面から見た図である。
【００２８】
レンズホルダ８においてボス部８ｂより後方の右側面の前端に沿って突出片８ｆが突設される。この突出片８ｆの幅の長さは、トラッキングコイル１０の巻線部１０ｂの内周部の一辺と略同じ長さである。また、レンズホルダ８においてボス部８ｂより後方の右側面の後端に沿って、幅が突出片８ｆよりも長く、突出片８ｆと対向するような突出片８ｉが突設される。ここで図２（ｂ）は、レンズホルダ８を後側から（図２（ａ）中Ａ方向に）見た突出片８ｉの周辺図であり、突出片８ｉの幅方向途中に、突出方向の切欠き部Ｄ２が設けられる。
【００２９】
そして、巻線部１０ｂの内周部の一辺が突出片８ｆ側に位置し、巻線部１０ｂの外周部の一辺が突出片８ｉ側に位置するよう巻線部１０ｂは配置され、レンズホルダ８においてボス部８ｂより後方の右側面に当接されてレンズホルダ８に接着固定される。また、巻線部１０ｂから引き出される引出し線１０ｄは、突出片８ｉに設けられた切欠き部Ｄ２を通され、その端部は、レンズホルダ８の端面８ｃに接着されたフレキシブルプリント基板９の貼付部９ａが有する端子に半田付けされる。
【００３０】
このような実施形態によっても、前述した実施形態と同様の効果が得られる。なお、上記切欠き部Ｄ２の突出方向の深さをレンズホルダ８の側面位置まで達するようにしたり、それよりも深くしても同様の効果が得られる。その場合の突出片８ｉは切欠き部Ｄ２で分断されるが、その分断された２つの突出片は請求項に記載の第二の突出片に含まれるものとする。
【図面の簡単な説明】
【００３１】
【図１】は、（ａ）本発明に係る光ピックアップが有するレンズホルダにトラッキングコイルを取り付けた状態を右側面から見た図、（ｂ）レンズホルダを図１（ａ）中Ａ方向に見た突出片の周辺図である。
【図２】は、（ａ）本発明に係る光ピックアップが有するレンズホルダにトラッキングコイルを取り付けた状態を右側面から見た図、（ｂ）レンズホルダを図２（ａ）中Ａ方向に見た突出片の周辺図である。
【図３】は、従来の光ピックアップの分解斜視図である。
【図４】は、従来の光ピックアップの上面図である。
【図５】は、従来の光ピックアップの側面断面図である。
【図６】は、トラッキングコイルの外観図である。
【図７】は、（ａ）従来の光ピックアップが有するレンズホルダにトラッキングコイルを取り付けた状態を右側面から見た図、（ｂ）従来の光ピックアップが有するレンズホルダにトラッキングコイルを取り付けた状態を左側面から見た図である。
【符号の説明】
【００３２】
８    レンズホルダ
９    フレキシブルプリント基板
１０  トラッキングコイル
Ｄ１、Ｄ２  切欠き部
【図１】
2007172776.tif 000003
【図２】
2007172776.tif 000004
【図３】
2007172776.tif 000005
【図４】
2007172776.tif 000006
【図５】
2007172776.tif 000007
【図６】
2007172776.tif 000008
【図７】
2007172776.tif 000009